(57)【要約】      （修正有） 【課題】体重が軽い者でも動作し、かつ動作速度の体重依存性が無い、閉じる時の速度が制御でき、停止時の衝撃が少ない体重感応式引戸。【解決手段】踏み板と、踏み板の動きを拡大するてこ、反対端におもりが取り付けられたローラーチェーンによって駆動することにより、体重が重い者が使用した場合でも、動作した場合でもローラーチェーンにたるみができることによって引戸の速度が必要以上に速くならず、速度が体重に依存しないことを特徴とするものである。【選択図】図１
0003132079.tif 000002
【実用新案登録請求の範囲】
【請求項１】
駆動機構部に、片端におもりまたはバネにより体重に依存しない張力を与えられたローラーチェーンを有し、踏み板を踏み込む
ことによりおもりまたはバネとは反対端をゆるめ、ローラーチェーンによって回転を与えられるスプロケットによりアームを回転
させ、アームにより駆動することにより、一定以上の体重がある使用者であれば開閉速度が体重の大小にまったく依存しないこ
とを特徴とする体重感応式自動引戸装置
【請求項２】
請求項1の体重感応式の自動引戸装置で、
踏み板とローラーチェーンを結ぶ、踏み板の動きを拡大するてこの部分にダンパを使用することにより、特に体重の重い使用者において、踏み板が急激に
下降することを防止するとともに、戸閉め時の速度を制御し、特に閉まりきる直前の速度を落とすことにより安全に戸閉めができる機構を備えた体重感応式自動
引戸装置
【考案の詳細な説明】
【技術分野】
【０００１】
本考案は体重に依存しない張力を与えられたローラーチェーンによって駆動することにより、動作速度の体重依存性を無くした体重感応式の自動
引戸装置に関する。
【背景技術】
【０００２】
従来の自動引戸装置の多くは、電動式の物はドップラーレーダー等により移動する人又は物体を検知するものであり、動作が
遅い場合は検出できず、立ち止まると閉じてしまう等の不具合や、他の電子機器による誤動作または他の電子機器の誤動作を誘
発することがあった。
【０００３】
体重感応式の引戸装置では液圧式の物として、実公昭59-35754号、特開昭54-38645号、特開昭58-54178号、実開平6-37482
号、及び特開平7-286476号などが存在している、流体摩擦により引戸の走行する最高速度が規制されるため、速度の体重依存性は
低いものの、流体摩擦によるエネルギー損失が大きく、復帰(戸閉め)にはバネやおもり等の別の作用手段を設ける必要が有る。
また水を使用した場合は凍結の問題があり、油の場合でも粘性の変化によって季節による動作特性の変化があるといった不具合
がある。
【０００４】
機械式の引戸装置としては、踏み込みにより引戸の走行するレールを傾ける方法（傾斜方式)として実開平2-2479号、及び実開平6-37482号など
が
存在しているが、起動までのタイムラグがあり、開き始めの速度が遅いため開くまでの待ち時間を要する。又加速度が一定のため停止直前の速度が大きく引戸そ
の
他の構造物への衝撃が大きい。さらに引戸は平行移動ではないので、引戸と構造物の間に隙間を必要とする欠点があった。
【０００５】
機械式の引戸装置のもう一つの方法としては特開平11-152957号、特開平11-324480号などの、てこ又は輪軸を用いて踏み込み板の変移を拡
大
する方法が存在する。これらはエネルギー損失は少ないが、速度の体重依存性が大きく、加速度が一定のため止まる直前の速度が大きくなり構造物への衝撃が大
きい欠点が有る
【特許文献１】実公昭59-35754号
【特許文献２】特開昭54-38645号
【特許文献３】特開昭58-54178号
【特許文献４】実開平6-37482号
【特許文献５】特開平7-286476号
【特許文献６】実開平2-2479号
【特許文献７】実開平6-37482号
【特許文献８】特開平11-152957号
【特許文献９】特開平11-152957号
【特許文献１０】登録実用新案第３１１８１１８号
【考案の開示】
【考案が解決しようとする課題】
【０００６】
体重感応式引戸装置において、体重の軽い者が使用すると動作が遅く、体重が重い者が使用すると早過ぎて、全開で止まる時の衝撃が大きいといった欠点を無
くし、動作速度の使用する者の体重に対する依存性が無い体重感応式引戸装置を提供する。
【０００７】
体重感応式引戸装置において、体重が、感応する最小の体重に比べ極端に重い使用者が使用したとしても踏み板が急激に下降することを防ぐとともに、戸閉め
時の速度を制御し、特に閉まりきる直前の速度を遅くすることによって安全性を確保した体重感応式引戸装置を提供する。
【課題を解決するための手段】
【０００８】
本考案の請求項1記載の体重感応式引戸装置は、踏み板と、踏み板の動きを拡大するてこ、てこの片端に取り付けられたローラーチェーン、ローラーチェーン
の反対端に取り付けられたおもり、ローラーチェーンによって駆動されるスプロケット、スプロケットに取り付けられた回転アーム、及び回転アームにより駆動
する引戸からなり、踏み板を踏むことによっててこが動作し、ローラーチェーンの張力を緩め、反対端に取り付けられた錘によってスプロケットを回転させ、回
転アームによって引戸を駆動することにより、体重の重い者が使用したときに、引戸の動作よりも早い速度でてこが動作した場合でも、ローラーチェーンにたる
みができることによって引戸の速度が必要以上に速くならず、速度が体重に依存しないことを特徴とするものである。
【０００９】
本考案の請求項2記載の体重感応式引戸装置は、前項の引戸装置のてこの部分にダンパを用いることにより、体重が、感応する最小の体重に比べ極端に重い使
用者が使用したとしても踏み板が急激に下降することを防ぐとともに、戸閉め時の速度を制御し、特に閉まりきる直前の速度を遅くすることによって安全性が確
保できることを特徴とするものである。
【考案の効果】
【００１０】
本考案の体重感応式引戸装置は、使用する者の体重に対する依存性が無く、感応する最小の体重以上の使用者であれば動作速度が一定である。
【００１１】
本考案の体重感応式引戸装置は、体重が重い者が使用しても踏み板が急激に下がることがなく、また戸閉めの速度が制御でき、特に閉まりきる直前の速度を遅
く出来るため、指を挟むなどの危険が無く、また閉まりきるときの衝撃が少ない。
【考案を実施するための最良の形態】
【００１２】
動作速度の使用者の体重に対する依存性を無くし、止まるときの衝撃を小さくして安全性を確保するといった目的を、単純な構造によって両立させたことを特
徴とするものである。
【実施例１】
【００１３】
本考案の体重感応式引戸装置の実施形態の一例を、図1を使用して説明する。
【００１４】
本考案の体重感応式引戸装置の駆動機構は、踏み板２を踏み込むことによりてこ４が持ち上げられ、ローラーチェーン５の張力を緩める。
【００１５】
ローラーチェーン５の反対端にはおもり９が取り付けられており、このおもり９による張力によってスプロケット６が回転し、スプロケットに取り付けられた
回転アーム１０が回転、回転アーム１０によってローラー１１、ガイド１２を介して引戸１を駆動する。引戸１の駆動力はすべておもり９の重力によるものであ
る。
【００１６】
体重が、感応する最小の体重に比べ極端に重い者が使用した場合、てこ４はすばやく動作するが、スプロケット６の回転速度は引戸１の質量及び摩擦抵抗と、
おもり９の重力によって決まるため、ローラーチェーン５は弛んで１３のようになる。このため体重が、感応する最小の体重に比べ極端に重い者が使用した場合
でも、一定の速度で引戸が動作する。
【００１７】
本考案におけるローラーチェーン５及びスプロケット６は、ロープと巻き取りボビンによっても同様の動作が得られる。
【実施例２】
【００１８】
また体重が、感応する最小の体重に比べ極端に重い者が使用した場合には、ダンパ１４によっててこ４の動作速度が抑制され、踏み板３が急激に下降すること
がなく、機構全体に衝撃がかかることが無い。
【００１９】
使用者が踏み板２から降りると、てこ４は下がり、てこ４にとりつけられたおもり８によってローラーチェーン５が引っ張られ、引戸１は閉じる方向に動作す
る。
【００２０】
このとき、てこ４の動作はダンパ１４の調整によって速度が制御できる。
【００２１】
また回転アーム１０は、回転運動であるため、開ききる直前と、閉まりきる直前の速度は、中間を通過する速度より遅くなるため衝撃的に止まる事は無い。
【産業上の利用可能性】
【００２２】
本考案の体重感応式引戸は、使用する人又は物の速度が遅くても、静止していても開くことと、体重又は重量の依存性が低いため、倉庫などの重量物の運搬経
路、介護施設等の使用する者の動作が遅い施設、等に適する。
【００２３】
本考案の体重感応式引戸は、電気等の動力源を必要としないため、開閉頻度の低いが使用する者が手で開閉させることが困難な、倉庫の内部の防火扉、漏電の
危険がある大浴場などの多湿の場所等に適する。
【００２４】
本考案の体重感応式引戸は、電磁波を発生させないため、病院など電磁波に敏感な機器を使用する施設、又は逆に誤動作を誘発するような強力な電磁波を発生
させる施設等に適する。
【図面の簡単な説明】
【００２５】
【図１】本考案の実施の一形態による体重感応式引戸の、閉じた状態の正面図である。
【符号の説明】
【００２６】
１    引戸
２    踏み板
３    踏み板カバー
４    てこ
５    ローラーチェーン
６    スプロケット
７    支柱
８    おもり
９    おもり
１０  回転アーム
１１  ローラー
１２  ガイド
１３  ローラーチェーン（弛んだ状態）
１４  ダンパ
【図１】
0003132079.tif 000003